(57)【要約】      （修正有）【課題】道糸、ハリスの撚りを防ぐ撚り戻し具を小型で軽くするとともに、ハリスの付け替え時にチチワを切るおそれがなく、またへら鮒の食いを悪くすることなく繊細なアタリを高感度で伝えることができる使いやすいへら鮒釣り用撚り戻し具を提供する。【解決手段】へら鮒釣り用撚り戻し具４は、道糸２の下部に繋げるための結び目８を一端に備え、かつ他端に下針用のハリス６を繋ぐ丸カンからなる第１のハリス取付環７を備える合成樹脂製の線状の基体９（第１の線状体）と、該線状体の一端と他端との中間部分に一端を回転自在に係合する輪部１１とし、他端に上針用のハリス５を繋ぐ丸カンからなる第２のハリス取付環１０を備える合成樹脂製の回転自在部１２（第２の線状体）とからなり、第２の線状体は第１の線状体に対して自在に回転する構造とする。【選択図】図２
0003193912.tif 000002
【実用新案登録請求の範囲】
【請求項１】
道糸に上針用と下針用の２つのハリスを繋ぐへら鮒釣り用仕掛けであって、道糸の下部に繋げるための結び目を一端に備え、かつ他端に下針用のハリスを繋ぐ第１の金属環を備える合成樹脂製の第１の線状体と、該線状体の前記一端と他端との中間部分に一端を回転自在に係合する輪部とし、他端に上針用のハリスを繋ぐ第２の金属環を備える合成樹脂製の第２の線状体とからなり、該第２の線状体は前記第１の線状体に対して自在に回転する構造とすることを特徴とするへら鮒釣り用撚り戻し具。
【請求項２】
第２の線状体の輪部は、釣り糸を撚り合わせて二重螺旋構造の円環とすることを特徴とする請求項１に記載のへら鮒釣り用撚り戻し具。
【請求項３】
第１の線状体及び／又は第２の線状体は、その一部に合成樹脂製管を被覆して強度を増すことを特徴とする請求項１又は２に記載のへら鮒釣り用撚り戻し具。
【考案の詳細な説明】
【技術分野】
【０００１】
本考案は、へら鮒釣りに用いる仕掛けの一部であり、特に道糸とこれに繋がる上針と下針の２つのハリスが撚れたりねじれたりすることなく使いやすいように工夫したへら鮒釣り用撚り戻し具に関するものである。
【背景技術】
【０００２】
へら鮒釣りは、自然条件や人為的条件に左右されやすい難しさと、醍醐味がある釣りであることから、これに用いる仕掛けには、水中での自然な餌の動きと繊細なアタリを高感度で釣り人に伝えることが特に求められている。
【０００３】
そして、へら鮒釣りの仕掛けとしては、図７に示すように、高さを変えた上針と下針の２つのハリス２１、２２と、道糸２３との間に撚り戻し具２４を備えることが多い。
そして、この撚り戻し具２４としては、道糸２３の先端を取付け取り外し自在に結びつけるための道糸取付環２５と、下針のハリスの上端を繋げる第１のハリス取付環２６とを備える基体２７と、上針のハリスの上端を繋げる第２のハリス取付環２８を一端に備え、他端に前記基体２７の中途部分に回転自在に遊嵌する環部２９を有する回転自在部３０とから構成されている。
この撚り戻し具２４は、上針のハリス２１又は下針のハリス２２が、竿の操作や水の流れなどによって回転して撚りが生じても、上針のハリス２１が撚り戻し具２４部分において下針のハリス２２や道糸２３に対して相対的に自在に回転することにより、撚りが自然に解消される構造となっている。
（特許文献１参照）。
【先行技術文献】
【特許文献】
【０００４】
【特許文献１】実開昭５９−１０１６７５号公報
【考案の概要】
【考案が解決しようとする課題】
【０００５】
上述した従来のへら鮒釣り用の撚り戻し具２４は、道糸とハリスの撚りを防ぐことができる優れものではあるものの、比較的小さい部材ではあるものの環部や鋼線の金属部材を多く使用することから重量が重くなってしまい、そのため上針と下針の落ちが速くなり過ぎて、へら鮒の食いが悪くなるという問題があった。へら鮒釣り以外の釣りであればさほど問題とならないに微妙な餌の動きが、へら鮒釣りならではの問題である。また、撚り戻し具２４が大きくなると撚り戻し具２４にハリスが絡まるおそれもあった。
また、従来のへら鮒釣り用の撚り戻し具において、環部や鋼線の金属部材を多く使用していた理由としては、同素材の鋼線同士であれば、互いに回転しても一方だけが傷つきやすくなるおそれがなくなるからである。すなわち、鋼線に異なる素材のテグス製の環部を組み合わせた場合には、テグス製の環部が鋼線よりも剛性に欠けることから、互いに回転するとテグス製の環部が擦れて損傷しやすいものであった。また、金属製の環部に替わってテグスを結んでチチワにした撚り戻し具も存在するが、ハリスを付け替える際にこのチチワを切ってしまうおそれがあった。
【０００６】
そこで、本考案はこのような実情に鑑みて、道糸、ハリスの撚りを防ぐ撚り戻し具をできるだけ小型で軽くするとともに、ハリスの付け替え時にチチワを切るおそれがなく、またへら鮒の食いが悪くすることなく繊細なアタリを高感度で伝えることができる新規で使いやすいへら鮒釣り用仕掛けを提供しようとするものである。
【課題を解決するための手段】
【０００７】
上記解決課題に鑑みて鋭意研究の結果、本考案者は、ハリスを結ぶ環部以外を合成樹脂製の線状体から形成するとともに、ハリスと道糸を結ぶ個所にも工夫を凝らすことにより、撚り戻し具をこれまでになく小型軽量とすることに想到し、本考案をなすに至った。
【０００８】
すなわち、本考案のへら鮒釣り用撚り戻し具は、道糸に上針用と下針用の２つのハリスを繋ぐへら鮒釣り用仕掛けであって、道糸の下部に繋げるための結び目を一端に備え、かつ他端に下針用のハリスを繋ぐ第１の金属環を備える合成樹脂製の第１の線状体と、該線状体の前記一端と他端との中間部分に一端を回転自在に係合する輪部とし、他端に上針用のハリスを繋ぐ第２の金属環を備える合成樹脂製の第２の線状体とからなり、該第２の線状体は前記第１の線状体に対して自在に回転する構造とすることを特徴とする。
これにより本考案のへら鮒釣り用撚り戻し具は、従来の撚り戻し具において使用していた鋼線を用いなくてもよくなり、また金属製の環部も３個から２個に減らすことができ、これまでになく小型軽量化することが可能になるとともに、ハリスを取り替える際にチチワを切るおそれがなくなったものである。
【０００９】
また、第２の線状体の輪部は、釣り糸を撚り合わせて二重螺旋構造の円環とすることを特徴とする。
これにより、第２の線状体の輪部は、通常のチチワ結びによる水滴型の輪と異なり、真円に近い円環とすることができ、これにより第１の線状体に対して回転する上記輪部は、引っかかることなくスムーズに回転することができるものである。
【００１０】
また、第１の線状体及び／又は第２の線状体は、その一部に合成樹脂製管を被覆して強度を増すことを特徴とする。
【図面の簡単な説明】
【００１１】
【図１】本考案のへら鮒釣り用撚り戻し具を備えた仕掛けを示す説明図である。
【図２】本考案のへら鮒釣り用撚り戻し具に道糸とハリスを繋いだ状態を示す説明図である。
【図３】本考案のへら鮒釣り用撚り戻し具における回転自在部の環部を示す説明図である。
【図４】本考案のへら鮒釣り用撚り戻し具を道糸に結ぶ手順を示す説明図である。
【図５】本考案のへら鮒釣り用撚り戻し具を道糸に結ぶ手順を示す説明図である。
【図６】本考案のへら鮒釣り用撚り戻し具を道糸に結ぶ手順を示す説明図である。
【図７】従来のへら鮒釣り用撚り戻し具の使用状態を示す説明図である。
【考案を実施するための形態】
【００１２】
以下、添付図面を参照しながら、本考案のへら鮒釣り用撚り戻し具について詳細に説明する。図１〜図６は、本考案の実施の形態を例示する図であり、これらの図において、同一の符号を付した部分は同一物を表わし、基本的な構成及び動作は同様であるものとする。
【００１３】
本考案のへら鮒釣り用撚り戻し具を用いた仕掛けは、図１に示すように、釣り竿１に取り付けられた道糸２と、道糸２に取り付けられたウキ３と、主にテグスを加工して作る撚り戻し具４と、撚り戻し具４に結ばれる上針のハリス５と、下針のハリス６とから構成される。
そして、へら鮒釣り用撚り戻し具４は、ナイロン樹脂、フロロカーボン素材、高密度ポリエチレン素材などの強度を有する合成樹脂製の釣り糸であるテグスと、丸カンと称される金属製の環とから主に構成されている。この丸カンは、内径が１．８〜２．５ミリメートル程度の小径のものを使用することとする。
【００１４】
へら鮒釣り用撚り戻し具４の詳細な構成は、図２に示すように、下針用のハリス６の上端を結ぶための丸カンからなる第１のハリス取付環７を下端に備え、上端に道糸２を繋ぐためのストッパーとなる結び目８を備えたテグスからなる基体９と、上針のハリス５の上端を繋げるための第２のハリス取付環１０を一端に備え、他端に前記基体９の中途部分に回転自在に遊嵌する環部１１を有するテグスからなる回転自在部１２とからなる。
図中９ａは、第１のハリス取付環７から環部１１取り付け位置にかけて、テグスの強度を増すべく被覆した、外径１〜２ミリメール、長さ数ミリメートルのナイロン管である。
【００１５】
図３は、回転自在部１２の環部１１を拡大した拡大説明図であり、このさらに詳細な構造は、通常のチチワ結びによる水滴形（疑似円環）の結び目ではなく、糸を撚り合わせて二重螺旋構造の円環とすることで真円に近似する円環を作り、円環から糸を繰り出す部分を含めて瞬間接着剤などの接着剤を用いて形状を固定する構造とすることものである。なお、環部１１の螺旋構造としては、二重螺旋に限ることなく三重以上の多重螺旋構造であってもよく、さらに１本のみならず、２本以上のテグスを撚り合わせる構造としてよいものである。
【００１６】
この多重螺旋構造の環部１１の作成方法としては、所望する輪の内径に相当する外径を有する細い金属製ピン等の円柱体を用意し、この周りに糸（テグス）を少し大きめに１周巻回し、この輪の回りに２周目以降の糸を撚って巻回するもので、最後に輪の糸を締めてこれに瞬間接着剤を塗布して環部１１を固め、そして固まった環部１１を円柱体から抜き取れば完成するものである。このように、瞬間接着剤を用いることにより、環部１１の撚り部の強度を高めると共に糸同士の接触抵抗を低下させることができる。
【００１７】
そして、環部１１から延出する２本のテグスは、その中途部分を外径１〜２ミリメール、長さ数ミリメートルのナイロン管１２ａに被覆されて杆体として強度を保持するとともに、先端に第２のハリス取付環１０を堅固に接続している。
【００１８】
図４〜図６は、本実施例のへら鮒釣り用撚り戻し具４を、道糸２に繋ぐ手順を説明するものである。
まず、道糸２の先端部分を、図４（Ａ）、（Ｂ）のようにして８の字に結んで、固結びの８の字結び目１３を作る。
つぎに、図５（Ｃ）に示すように、上記８の字結び目１３の根元部分で緩く８の字結び目１４を作り、輪部１５を大きく形成する。
【００１９】
そして、図５（Ｄ）に示すように、この輪部１５に、へら鮒釣り用撚り戻し具４の結び目８を通す。
その輪部１５に結び目８を通した状態で、道糸２の基部側を引っ張って、輪部１５を縮めていくことにより、図６に示すように、結び目８の根元が８の字結び目１４に縛られて固定されるものである。
【００２０】
図２の図番１６は、環部１１が上下移動する範囲を制限するために結んだテグスの結び目である。
【００２１】
このような構成からなる本考案のへら鮒釣り用撚り戻し具４は、丸カンからなる第１のハリス取付環７及び第２のハリス取付環１０を備えることにより上針のハリスと下針のハリスを容易に取り付け・取り外しが可能であるとともに、ハリスの付け替え時にチチワを切るおそれがなくなる。さらに、道糸２にへら鮒釣り用撚り戻し具４を取り付けるに際しても、へら鮒釣り用撚り戻し具４の上端の結び目８を、道糸２の先端を８の字結びで縛ることにより容易に固定することができる。
【産業上の利用可能性】
【００２２】
この考案に係るへら鮒釣り用撚り戻し具は、釣り用品業において利用することができる。
【符号の説明】
【００２３】
１  釣り竿
２  道糸
３  ウキ
４  へら鮒釣り用撚り戻し具
５  上針のハリス
６  下針のハリス
７  第１のハリス取付環
８  結び目
９  基体
１０  第２のハリス取付環
１１  環部
１２  回転自在部
１４  ８の字結び目
１５  輪部
【図１】
0003193912.tif 000003
【図２】
0003193912.tif 000004
【図３】
0003193912.tif 000005
【図４】
0003193912.tif 000006
【図５】
0003193912.tif 000007
【図６】
0003193912.tif 000008
【図７】
0003193912.tif 000009